(57)【要約】  【課題】アルミニウム板のように耐候性の良い材質の板で樹脂部をカバーすることにより、雑草の生えることの無い、確実かつ長期間に渡って、雑草を防止できる構造と方法を実現する。  【解決手段】雑草抑止の目的で樹脂を詰めたり樹脂で覆って成る部分を、アルミニウムのように耐候性の良い材質のカバー板でカバーしてあると、下側の樹脂部は経年変化で劣化しても、上側のカバー板は耐候性が良く、劣化しにくく、亀裂が生じたり、水が溜まったりしない。その結果、日光が届いて雑草が生えたり、窪みができて雑草の種子や土ぼこりが入って溜まったりすることはない。カバー板に凸状を設けると、裏面は凹状のため、弾性体を収納するのに好都合である。【選択図】図７
2013213363.tif 000002
【特許請求の範囲】
【請求項１】
雑草抑止の目的で樹脂を詰めたり樹脂で覆って成る部分を、アルミニウムのように耐候性の良い材質のカバー板でカバーすることにより、雑草を防止することを特徴とする雑草防止構造。
【請求項２】
前記カバー板が伸縮し易いように、１以上の凸形状を形成してあることを特徴とする請求項１に記載の雑草防止構造。
【請求項３】
前記凸形状部の内側の凹部に弾性体を設けたことを特徴とする請求項１又は請求項２に記載の雑草防止構造。
【請求項４】
前記カバー板の下面に弾性層を設けてあることを特徴とする請求項１、請求項２又は請求項３に記載の雑草防止構造。
【請求項５】
雑草抑止の目的で樹脂を詰めたり樹脂で覆って成る部分を、アルミニウムのように耐候性の良い材質のカバー板でカバーして、雑草の発生を阻止することを特徴とする雑草防止方法。
【発明の詳細な説明】
【技術分野】
【０００１】
本発明は、主として道路にできた隙間や亀裂などの窪みに雑草が生えるのを確実に防ぐ雑草防止カバーリング方法に関する。
【背景技術】
【０００２】
本発明は、図１のように電柱やガードレールのポールの周囲、街路樹の周囲、雑草防止帯とアスファルト歩道との隙間、コンクリートに出来た亀裂、側溝の蓋とアスファルト歩道との隙間、擁壁と側溝蓋との間などに生えた雑草１を防止する構造に関する。
経年変化による劣化や熱収縮応力などにより、隙間や亀裂などの窪みが生じ、そこに雑草の種子や土埃などが溜まって雑草１が生え、景観を悪くしている。このように経年変化による伸縮を繰り返し、隙間や亀裂などの窪みができる問題は、縁石の周りや取り合い部、中央分離帯の打設部など、枚挙できない程である。
【先行技術文献】
【特許文献】
【０００３】
【特許文献１】特開2006-37699
【特許文献２】特開2001-182005
【発明の概要】
【発明が解決しようとする課題】
【０００４】
特許文献１のように、クラック箇所に生えた雑草等を高温高圧湯で吹き飛ばし洗浄することにより、雑草の残存毛根の細胞を高温で破壊した後、再び土や埃そして雑草の種子が入り込まないようシール剤を充填する発明が提案されている。
しかし、地表に露出した広い面でなく、クラック箇所などを洗浄しシール剤を充填する方法では、確実に洗浄したりシール剤を充填することができず、シール処理を確実に行なえない。あるいは、シール処理した短期間しか効果が期待できない。特に、シール処理した部分が自然劣化して脆くなったり、亀裂が生じたりして、雑草の発生を阻止できなくなることがある。
一方、特許文献２のように、帯か紐か縄状の物を、固い物の側にアスファルトで押しつぶす方法では、片側をアスファルトにする必要があり、両方ともコンクリート製の場合は適用できない。また、環境が悪いために、帯や紐が劣化すると、雑草の発生を阻止できなくなる。
本発明の技術的課題は、このような問題に着目し、アルミニウム板のように耐候性の良い材質の板で樹脂部をカバーすることにより、雑草の生えることの無い、確実かつ長期間に渡って、雑草を防止できる構造と方法を実現することにある。
【課題を解決するための手段】
【０００５】
請求項１は、雑草抑止の目的で樹脂を詰めたり樹脂で覆って成る部分を、アルミニウムのように耐候性の良い材質のカバー板でカバーすることにより、雑草を確実に防止することを特徴とする雑草防止構造である。カバー板の材質は、アルミニウムやステンレス等のように錆びにくい金属が適しているが、耐候性が良ければ、合成樹脂製でもよい。カバー板は、厚さが0.５ｍｍ以上のある程度の強度の有る板材が良く、箔やフィルムと呼ばれる厚さの薄いものは容易に破損するので、強度が足りない。
【０００６】
請求項２は、前記カバー板が伸縮し易いように、１以上の凸形状を形成してあることを特徴とする請求項１に記載の雑草防止構造である。凸形状の伸縮代は２山も有れば充分であり、蛇腹のように多数形成する必要はない。
【０００７】
請求項３は、前記凸形状部の内側の凹部に弾性体を設けたことを特徴とする請求項１又は請求項２に記載の雑草防止構造である。中空状のホースが適しているが、必ずしも中空である必要はない。
【０００８】
請求項４は、前記カバー板の下面に弾性層を設けてあることを特徴とする請求項１、請求項２又は請求項３に記載の雑草防止構造である。
【０００９】
請求項５は、雑草抑止の目的で樹脂を詰めたり樹脂で覆って成る部分を、アルミニウムのように耐候性の良い材質のカバー板でカバーして、雑草の発生を阻止することを特徴とする雑草防止方法である。
【発明の効果】
【００１０】
請求項１のように、雑草抑止の目的で樹脂を詰めたり樹脂で覆って成る部分を、アルミニウムのように耐候性の良い材質のカバー板でカバーしてあると、下側の樹脂部は経年変化で劣化しても、上側のカバー板は耐候性が良く、劣化しにくく、亀裂が生じたり、水が溜まったりしない。その結果、日光が届いて雑草が生えたり、窪みができて雑草の種子や土ぼこりが入って溜まったりすることはない。
【００１１】
請求項２のように、前記カバー板が伸縮し易いように、１以上の凸形状を形成してあるので、下側の樹脂部の伸縮に伴って、カバー板も円滑に伸縮する。その結果、下側の樹脂部やカバー板が円滑に伸縮できないために、経年変化で亀裂が生じたりする問題が解消される。
【００１２】
請求項３のように、前記凸形状部の内側の凹部に弾性体を設けたため、カバー板の受けた衝撃などを弾性体で吸収して緩衝でき、下側の樹脂が直接衝撃などを受けて亀裂を生じたりすることはない。また、凸形状が外力を受けても、弾性体が反発するので、凸形状が永久変形することもない。凸状の裏面は凹状のため、弾性体を収納するのに好都合である。
【００１３】
請求項４のように、前記カバー板の下面に弾性層を設けてあるので、カバー板が全面的に弾性層の弾性を受け、下側の樹脂部と共に保護される。
【００１４】
請求項５のように、雑草抑止の目的で樹脂を詰めたり樹脂で覆って成る部分を、アルミニウムのように耐候性の良い材質のカバー板でカバーするので、下側の樹脂は経年変化で劣化しても、上側のカバー板は耐候性が良く、劣化しにくく、亀裂が生じたり、水が溜まったりしない。その結果、日光が届いて雑草が生えたり、窪みができて雑草の種子や土ぼこりが入って溜まったりすることはない。
【図面の簡単な説明】
【００１５】
【図１】隙間や亀裂などの窪みから雑草が生えている状態を示す斜視図である。
【図２】本発明による雑草抑制構造を順次示す実施形態の断面図である。
【図３】本発明による雑草抑制構造の他の実施形態を示す断面図である。
【図４】防水処理する膜厚分だけ予め凹状に削設する実施形態の断面図である。
【図５】本発明の実施形態を示す断面図である。
【図６】本発明の別の実施形態を示す断面図である。
【図７】パッキンや弾性層を設けた実施形態を示す断面図である。
【図８】電柱の根元に装着するカバー板の例を示す図であり、（１）は正面図、（２）は平面図、（３）は市販の締め付けリングである。
【図９】電柱の根元に装着した例を示す正面図である。
【発明を実施するための形態】
【００１６】
次に本発明によるカバー板でカバーされる樹脂部について説明する。図２は、経年変化で出来た隙間に雑草が生えている場合であり、先ず（１）や図１のように雑草１が生えている窪み中の雑草や土を取り去り、又はバーナで根を焼き切る。次に、高圧水洗浄によって汚れや付着物を洗い流すが、（２）のような隙間２はもちろん、隙間２の周囲の地表に露出したプライマー処理領域Ｐも、奇麗な状態にする。
【００１７】
高圧水洗浄の際の水分を充分に乾燥させた後、（３）のように、プライマー樹脂３を１０〜２０ｃｍと広い領域に渡って帯状に塗布する。できれば２回塗りし、確実にプライマー処理して、接着面を強化し安定させる。
プライマー樹脂が充分に乾燥してから、その上にウレタン性の防水樹脂４を塗布する。ウレタン樹脂４は防水性だけでなく、伸縮性に富むので、経年変化で隙間２の寸法が変化したりしても、追従できる。従って、隙間２がウレタン樹脂４で埋まるまで塗布する。また、塗膜が５〜１０ｍｍ程度の厚さとなるまで、塗り重ねる。
ウレタン樹脂４が充分に乾燥したら、防水性のある樹脂を０.3Ｋｇ／ｍ2 程度塗布してトップコート仕上げし、着色する。防水樹脂４を塗布した領域は、１０〜２０ｃｍと広い帯状の領域に渡って膜厚分だけ盛り上がった形状になる。
【００１８】
以上は経年変化などで隙間が出来、土埃が溜まって雑草が生えた場合であるが、図３のように道路を新しく施工した場合は、縁石７と歩道や車道との間に隙間などの窪みは出来てないので、隙間の無い境界部６の周りの地表露出面を高圧水洗浄して奇麗にしてから、プライマー樹脂３を塗布し、その上にウレタン防水樹脂４の塗布し、トップコート５の塗布を行なう。
図の左側のように、吹き溜まりになり易い隅部に適用する場合は、最寄りの鉛直の面まで施工するので、プライマー樹脂３と防水樹脂４とトップコート５の層はＬ状の断面となる。
【００１９】
図４は、防水材の膜厚分だけ予め削設して帯状に凹状を形成する実施形態であり、雑草１や土を除去した後、ダイヤモンドグラインダー等を使用して、隙間２の片側の表面領域と他側の表面領域に渡って幅１０〜２０ｃｍの帯状に削設する。すなわち、（２）図のように、防水樹脂４の塗布領域Ｓは、それだけ深く、プライマー樹脂３やトップコート５の塗布領域ｓは、浅く削設する。
次に、削設の際の粉塵を高圧水洗浄し乾燥させた後、（３）のようにプライマー樹脂３を塗布し、次に防水樹脂４を塗布し、５〜１０ｍｍの膜厚を得る。その上にトップコート５を塗布すると、凹部が無くなり、歩道と平坦になる。
この方法は、図３のように隙間２の無い、新しい場所に施工する際にも適用できる。その結果、５〜１０ｍｍの盛り上がりの無い、周囲と同じ高さの平坦な仕上がりとなる。
【００２０】
以上のように雑草が二度と生えないような工夫がなされていても、樹脂の経年変化などで亀裂などが発生し、雑草の種子や土埃などが溜まって、雑草が生えて来る恐れがあり、完全とは言えない。
このような弊害を防止するために本発明は、図５〜図９のようにアルミニウムなどから成るカバー板を樹脂部に被せている。特許文献１に記載のような樹脂部に直接にカバー板を被せても良いが、図５に示す縁石７と歩道との間の実施形態のように、雑草の生えやすい凹部に沿って、幅１０〜２０ｃｍの帯状に樹脂部４を拡げ、この帯状の拡張樹脂部４に帯状の長いカバー板Ｃを被せるのが良い。
【００２１】
このカバー板Ｃは、温度変化に伴って伸縮し易いように、伸縮代８を真ん中に設けるのが良い。伸縮代８の形状は、円弧状や逆Ｖ字状でもよいし、より伸縮し易いように円弧状や逆Ｖ字状が複数有ってもよい。水や埃などが溜まらないように、凸部を上向きにした方が良い。また、凸状の真裏が凹状になるので、パッキンを収納するのに好都合である。
カバー板Ｃが樹脂部４から分離しないように、小ネジ９や釘等で機械的に固定する。樹脂部４だけでは強度が足りない場合は、下地のコンクリート７やコールタール部まで届くような長目を用いる。
【００２２】
図５（１）のように、カバー板Ｃの両端１０・１０は、段差でなく、スロープになるように折り曲げて、傾斜させてある。図５（２）は、拡張樹脂部４を埋め込んで、盛り上がりを少なくし、カバー板Ｃの板厚分だけ盛り上がる構造にしてある。従って、カバー板Ｃの両端１０・１０は、折り曲げる必要は無いが、肉厚分を斜めにカットしてある。
さらに、カバー板Ｃの板厚分の盛り上がりも無くすべく、カバー板Ｃも埋め込まれた構造も可能である。
縁石７と車道との成すＬ型の隅部は、Ｌ状の樹脂部４Ｌの上に、Ｌ状に曲げたカバー板ＣＬを被せた状態で、小ネジ９や釘等で固定してある。
なお、伸縮代８はシングルに成っている。また、図７のようにパッキン１１を入れてもよい。
【００２３】
図６は、プライマー処理やトップコート処理した例であり、先ず（１）のような隙間２はもちろん、隙間２の周囲の地表に露出したプライマー処理領域Ｐも、奇麗な状態にする。
高圧水洗浄の際の水分を充分に乾燥させた後、（２）のように、プライマー樹脂３を１０〜２０ｃｍと広い領域に渡って帯状に塗布する。
プライマー樹脂が充分に乾燥してから、その上にウレタン性の防水樹脂４を塗布する。ウレタン樹脂４が充分に乾燥したら、防水性のある樹脂を０.3Ｋｇ／ｍ2 程度塗布してトップコート仕上げ５を施す。
【００２４】
防水樹脂４を塗布した領域は、１０〜２０ｃｍと広い帯状の領域に渡って膜厚分だけ盛り上がった形状になるが、この拡張樹脂部４のトップコート５の上にカバー板Ｃを被せて、小ネジ９や釘等で固定する。
両端縁１０・１０は、バリヤフリーを実現すべく斜めに折り曲げて、傾斜させてある。
このように、プライマー処理やトップコート処理した場合も、図５（２）のように、拡張樹脂部４の部分を埋め込んだり、さらにカバー板Ｃも全部埋め込んだりできることは言うまでもない。
施工後のカバー板Ｃの上が滑り易い場合は、滑り難いように塗装を工夫したり、表面仕上げを工夫したりする。
【００２５】
図７の実施形態は、図６において、さらにパッキン１１を介在させた例である。このように、円弧状の伸縮代８の内面の凹部を利用して、空洞になったホース状の又は中空の穴の開いていない、細長い紐状のパッキン１１を設けると、伸縮代８が突出しているために踏まれたりして外力を受けても、弾力で反発できるので、効果的に緩衝される。
弾性体のテープにアルミニウム箔を貼った弾性テープＴを、カバー板Ｃの裏面全体に介在させると、カバー板Ｃの全面が緩衝されるので、人が転んだりして安全であり、またカバー板Ｃも傷つき難い。
拡張樹脂部４の肉厚分だけ、さらにカバー板Ｃの領域まで埋め込んだ構造も可能である。
【００２６】
図８は電柱の根元に装着するカバー板の例を示す図であり、（１）は正面図、（２）は平面図、（３）は市販の締め付けリングであり、図９は電柱の根元に装着した例を示す正面図である。
図示例は、使用中の立っている電柱Ｅの側方から装着する構造であり、電柱Ｅの片側半分をカバーできる半円状の側壁１２ａともう一方の半分をカバーできる半円状の側壁１２ｂとを有し、その両端は、木材の相欠き継ぎ構造と同様な接続構造１３となっている。
１４ａ、１４ｂは鍔状のカバー板であり、それぞれ半円状をしている。内径は電柱Ｅの外径より僅かに大きく、外径は、樹脂部をカバーできる寸法とする。半円状カバー板１４ａ、１４ｂの両端は、相欠き継ぎ構造１５になっている。
【００２７】
この半円状カバー板１４ａ、１４ｂを樹脂部の上に被せた状態で、図９のように電柱Ｅを挟むように装着し、かつネジや釘９を打ち込んで要所を止める。さらに、電柱Ｅの根元をカバーするように１対の側壁１２ａ、１２ｂを取付けた状態で、締め付けリング１６を装着して、電柱Ｅに締め付ける。
鍔状カバー板１４ａ、１４ｂと側壁１２ａ、１２ｂは別体になっているが、溶接やロウ着けで一体構造にすることも可能である。一体に成型してもよい。
電柱Ｅを立てる際にカバー板も同時に装着可能な場合は、２分割構造にしないで、最初からリング状に一体化し、その中に電柱Ｅを挿通することも可能である。電柱を例に説明したが、ガードレールの支柱も同じ要領で施工できる。
なお、本発明は、道路に限らず、法面や屋上、各種コンクリート構造物など、窪みに土埃や雑草の種子が集積して雑草が生える場所であれば、すべてに適用できる。
【産業上の利用可能性】
【００２８】
以上のように、雑草抑止の目的で樹脂を詰めたり樹脂で覆って成る部分を、前記樹脂より耐候性の良い材質の板で樹脂部をカバーすることにより、確実かつ長期間に渡って雑草を防止でき、景観が改善され、観光地に最適である。
【符号の説明】
【００２９】
１  雑草
２  隙間
４  拡張樹脂部
７  縁石
Ｃ  カバー板
８  伸縮代
９  小ネジや釘
ＣＬ  Ｌ状に曲げたカバー板
１１  パッキン
Ｔ  弾性テープ
Ｅ  電柱
１２ａ、１２ｂ  半円状の側壁
１３、１５  相欠き継ぎ構造
１４ａ、１４ｂ  鍔状のカバー板
１６  締め付けリング
【図１】
2013213363.tif 000003
【図２】
2013213363.tif 000004
【図３】
2013213363.tif 000005
【図４】
2013213363.tif 000006
【図５】
2013213363.tif 000007
【図６】
2013213363.tif 000008
【図７】
2013213363.tif 000009
【図８】
2013213363.tif 000010
【図９】
2013213363.tif 000011
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
雑草抑止の目的で樹脂を詰めたり樹脂で覆って成る部分を、アルミニウムのように耐候性の良い材質のカバー板でカバーし、該カバー板を固定する構成において、
前記カバー板が伸縮し易いように、上向きに突出した伸縮代を幅方向に１以上形成してあることを特徴とする雑草防止構造。
【請求項２】
前記カバー板がアルミニウム又はステンレスの板から成ることを特徴とする請求項１に記載の雑草防止構造。
【請求項３】
前記の上向きに突出した伸縮代の内面の凹部を利用して弾性体を設けたことを特徴とする請求項１又は請求項２に記載の雑草防止構造。
【請求項４】
前記カバー板の厚さを0.５ｍｍ以上とし、かつ下面に弾性層を設けてあることを特徴とする請求項２又は請求項３に記載の雑草防止構造。
【請求項５】
雑草抑止の目的で樹脂を詰めたり樹脂で覆って成る部分を、アルミニウムのように耐候性の良い材質のカバー板でカバーし、該カバー板を固定する方法において、
前記カバー板が伸縮し易いように、上向きに突出した伸縮代を幅方向に１以上形成することを特徴とする雑草防止方法。
【手続補正２】
【補正対象書類名】明細書
【補正対象項目名】全文
【補正方法】変更
【補正の内容】
【発明の詳細な説明】
【技術分野】
【０００１】
本発明は、主として道路にできた隙間や亀裂などの窪みに雑草が生えるのを確実に防ぐ雑草防止カバーリング方法に関する。
【背景技術】
【０００２】
本発明は、図１のように電柱やガードレールのポールの周囲、街路樹の周囲、雑草防止帯とアスファルト歩道との隙間、コンクリートに出来た亀裂、側溝の蓋とアスファルト歩道との隙間、擁壁と側溝蓋との間などに生えた雑草１を防止する構造に関する。
経年変化による劣化や熱収縮応力などにより、隙間や亀裂などの窪みが生じ、そこに雑草の種子や土埃などが溜まって雑草１が生え、景観を悪くしている。このように経年変化による伸縮を繰り返し、隙間や亀裂などの窪みができる問題は、縁石の周りや取り合い部、中央分離帯の打設部など、枚挙できない程である。
【先行技術文献】
【特許文献】
【０００３】
【特許文献１】特開2006-37699
【特許文献２】特開2001-182005
【発明の概要】
【発明が解決しようとする課題】
【０００４】
特許文献１のように、クラック箇所に生えた雑草等を高温高圧湯で吹き飛ばし洗浄することにより、雑草の残存毛根の細胞を高温で破壊した後、再び土や埃そして雑草の種子が入り込まないようシール剤を充填する発明が提案されている。
しかし、地表に露出した広い面でなく、クラック箇所などを洗浄しシール剤を充填する方法では、確実に洗浄したりシール剤を充填することができず、シール処理を確実に行なえない。あるいは、シール処理した短期間しか効果が期待できない。特に、シール処理した部分が自然劣化して脆くなったり、亀裂が生じたりして、雑草の発生を阻止できなくなることがある。
一方、特許文献２のように、帯か紐か縄状の物を、固い物の側にアスファルトで押しつぶす方法では、片側をアスファルトにする必要があり、両方ともコンクリート製の場合は適用できない。また、環境が悪いために、帯や紐が劣化すると、雑草の発生を阻止できなくなる。
本発明の技術的課題は、このような問題に着目し、アルミニウム板のように耐候性の良い材質の板で樹脂部をカバーすることにより、雑草の生えることの無い、確実かつ長期間に渡って、雑草を防止できる構造と方法を実現することにある。
【課題を解決するための手段】
【０００５】
請求項１は、雑草抑止の目的で樹脂を詰めたり樹脂で覆って成る部分を、アルミニウムのように耐候性の良い材質のカバー板でカバーし、該カバー板を固定する構成において、
前記カバー板が伸縮し易いように、上向きに突出した伸縮代を幅方向に１以上形成してあることを特徴とする雑草防止構造である。カバー板の材質は、アルミニウムやステンレス等のように錆びにくい金属が適しているが、耐候性が良ければ、合成樹脂製でもよい。カバー板は、厚さが0.５ｍｍ以上のある程度の強度の有る板材が良く、箔やフィルムと呼ばれる厚さの薄いものは容易に破損するので、強度が足りない。上向きに突出した伸縮代は２山も有れば充分であり、蛇腹のように多数形成する必要はない。
【０００６】
請求項２は、前記カバー板がアルミニウム又はステンレスの板から成ることを特徴とする請求項１に記載の雑草防止構造である。
【０００７】
請求項３は、前記の上向きに突出した伸縮代の内面の凹部を利用して弾性体を設けたことを特徴とする請求項１又は請求項２に記載の雑草防止構造である。中空状のホースが適しているが、必ずしも中空である必要はない。
【０００８】
請求項４は、前記カバー板の厚さを0.５ｍｍ以上とし、かつ下面に弾性層を設けてあることを特徴とする請求項１、請求項２又は請求項３に記載の雑草防止構造である。
【０００９】
請求項５は、雑草抑止の目的で樹脂を詰めたり樹脂で覆って成る部分を、アルミニウムのように耐候性の良い材質のカバー板でカバーし、該カバー板を固定する方法において、
前記カバー板が伸縮し易いように、上向きに突出した伸縮代を幅方向に１以上形成することを特徴とする雑草防止方法である。
【発明の効果】
【００１０】
請求項１のように、雑草抑止の目的で樹脂を詰めたり樹脂で覆って成る部分を、アルミニウムのように耐候性の良い材質のカバー板でカバーしてあると、下側の樹脂部は経年変化で劣化しても、上側のカバー板は耐候性が良く、劣化しにくく、亀裂が生じたり、水が溜まったりしない。その結果、日光が届いて雑草が生えたり、窪みができて雑草の種子や土ぼこりが入って溜まったりすることはない。
しかも、前記カバー板が伸縮し易いように、上向きに突出した伸縮代を幅方向に１以上形成してあるので、下側の樹脂部の伸縮に伴って、カバー板も円滑に伸縮する。その結果、下側の樹脂部やカバー板が円滑に伸縮できないために、経年変化で亀裂が生じたりする問題が解消される。
【００１１】
請求項２のように、カバー板の材質は、アルミニウムやステンレス等のように錆びにくい金属が適している。
【００１２】
請求項３のように、前記の上向きに突出した伸縮代の内面の凹部を利用して弾性体を設けたため、カバー板の受けた衝撃などを弾性体で吸収して緩衝でき、下側の樹脂が直接衝撃などを受けて亀裂を生じたりすることはない。また、伸縮代を形成する凸形状が外力を受けても、弾性体が反発するので、凸形状が永久変形することもない。凸状の裏面は凹状のため、弾性体を収納するのに好都合である。
【００１３】
請求項４のように、前記カバー板の厚さを0.５ｍｍ以上とし、かつ下面に弾性層を設けてあるので、カバー板が全面的に弾性層の弾性を受け、下側の樹脂部と共に保護される。
【００１４】
請求項５のように、雑草抑止の目的で樹脂を詰めたり樹脂で覆って成る部分を、アルミニウムのように耐候性の良い材質のカバー板でカバーするので、下側の樹脂は経年変化で劣化しても、上側のカバー板は耐候性が良く、劣化しにくく、亀裂が生じたり、水が溜まったりしない。その結果、日光が届いて雑草が生えたり、窪みができて雑草の種子や土ぼこりが入って溜まったりすることはない。
しかも、前記カバー板が伸縮し易いように、上向きに突出した伸縮代を幅方向に１以上形成するので、下側の樹脂部の伸縮に伴って、カバー板も円滑に伸縮する。その結果、下側の樹脂部やカバー板が円滑に伸縮できないために、経年変化で亀裂が生じたりする問題が解消される。
【図面の簡単な説明】
【００１５】
【図１】隙間や亀裂などの窪みから雑草が生えている状態を示す斜視図である。
【図２】本発明による雑草抑制構造を順次示す実施形態の断面図である。
【図３】本発明による雑草抑制構造の他の実施形態を示す断面図である。
【図４】防水処理する膜厚分だけ予め凹状に削設する実施形態の断面図である。
【図５】本発明の実施形態を示す断面図である。
【図６】本発明の別の実施形態を示す断面図である。
【図７】パッキンや弾性層を設けた実施形態を示す断面図である。
【図８】電柱の根元に装着するカバー板の例を示す図であり、（１）は正面図、（２）は平面図、（３）は市販の締め付けリングである。
【図９】電柱の根元に装着した例を示す正面図である。
【発明を実施するための形態】
【００１６】
次に本発明によるカバー板でカバーされる樹脂部について説明する。図２は、経年変化で出来た隙間に雑草が生えている場合であり、先ず（１）や図１のように雑草１が生えている窪み中の雑草や土を取り去り、又はバーナで根を焼き切る。次に、高圧水洗浄によって汚れや付着物を洗い流すが、（２）のような隙間２はもちろん、隙間２の周囲の地表に露出したプライマー処理領域Ｐも、奇麗な状態にする。
【００１７】
高圧水洗浄の際の水分を充分に乾燥させた後、（３）のように、プライマー樹脂３を１０〜２０ｃｍと広い領域に渡って帯状に塗布する。できれば２回塗りし、確実にプライマー処理して、接着面を強化し安定させる。
プライマー樹脂が充分に乾燥してから、その上にウレタン性の防水樹脂４を塗布する。ウレタン樹脂４は防水性だけでなく、伸縮性に富むので、経年変化で隙間２の寸法が変化したりしても、追従できる。従って、隙間２がウレタン樹脂４で埋まるまで塗布する。また、塗膜が５〜１０ｍｍ程度の厚さとなるまで、塗り重ねる。
ウレタン樹脂４が充分に乾燥したら、防水性のある樹脂を０.3Ｋｇ／ｍ2 程度塗布してトップコート仕上げし、着色する。防水樹脂４を塗布した領域は、１０〜２０ｃｍと広い帯状の領域に渡って膜厚分だけ盛り上がった形状になる。
【００１８】
以上は経年変化などで隙間が出来、土埃が溜まって雑草が生えた場合であるが、図３のように道路を新しく施工した場合は、縁石７と歩道や車道との間に隙間などの窪みは出来てないので、隙間の無い境界部６の周りの地表露出面を高圧水洗浄して奇麗にしてから、プライマー樹脂３を塗布し、その上にウレタン防水樹脂４の塗布し、トップコート５の塗布を行なう。
図の左側のように、吹き溜まりになり易い隅部に適用する場合は、最寄りの鉛直の面まで施工するので、プライマー樹脂３と防水樹脂４とトップコート５の層はＬ状の断面となる。
【００１９】
図４は、防水材の膜厚分だけ予め削設して帯状に凹状を形成する実施形態であり、雑草１や土を除去した後、ダイヤモンドグラインダー等を使用して、隙間２の片側の表面領域と他側の表面領域に渡って幅１０〜２０ｃｍの帯状に削設する。すなわち、（２）図のように、防水樹脂４の塗布領域Ｓは、それだけ深く、プライマー樹脂３やトップコート５の塗布領域ｓは、浅く削設する。
次に、削設の際の粉塵を高圧水洗浄し乾燥させた後、（３）のようにプライマー樹脂３を塗布し、次に防水樹脂４を塗布し、５〜１０ｍｍの膜厚を得る。その上にトップコート５を塗布すると、凹部が無くなり、歩道と平坦になる。
この方法は、図３のように隙間２の無い、新しい場所に施工する際にも適用できる。その結果、５〜１０ｍｍの盛り上がりの無い、周囲と同じ高さの平坦な仕上がりとなる。
【００２０】
以上のように雑草が二度と生えないような工夫がなされていても、樹脂の経年変化などで亀裂などが発生し、雑草の種子や土埃などが溜まって、雑草が生えて来る恐れがあり、完全とは言えない。
このような弊害を防止するために本発明は、図５〜図９のようにアルミニウムなどから成るカバー板を樹脂部に被せている。特許文献１に記載のような樹脂部に直接にカバー板を被せても良いが、図５に示す縁石７と歩道との間の実施形態のように、雑草の生えやすい凹部に沿って、幅１０〜２０ｃｍの帯状に樹脂部４を拡げ、この帯状の拡張樹脂部４に帯状の長いカバー板Ｃを被せるのが良い。
【００２１】
このカバー板Ｃは、温度変化に伴って伸縮し易いように、伸縮代８を真ん中に設けるのが良い。伸縮代８の形状は、円弧状や逆Ｖ字状でもよいし、より伸縮し易いように円弧状や逆Ｖ字状が複数有ってもよい。水や埃などが溜まらないように、凸部を上向きにした方が良い。また、凸状の真裏が凹状になるので、パッキンを収納するのに好都合である。
カバー板Ｃが樹脂部４から分離しないように、小ネジ９や釘等で機械的に固定する。樹脂部４だけでは強度が足りない場合は、下地のコンクリート７やコールタール部まで届くような長目を用いる。
【００２２】
図５（１）のように、カバー板Ｃの両端１０・１０は、段差でなく、スロープになるように折り曲げて、傾斜させてある。図５（２）は、拡張樹脂部４を埋め込んで、盛り上がりを少なくし、カバー板Ｃの板厚分だけ盛り上がる構造にしてある。従って、カバー板Ｃの両端１０・１０は、折り曲げる必要は無いが、肉厚分を斜めにカットしてある。
さらに、カバー板Ｃの板厚分の盛り上がりも無くすべく、カバー板Ｃも埋め込まれた構造も可能である。
縁石７と車道との成すＬ型の隅部は、Ｌ状の樹脂部４Ｌの上に、Ｌ状に曲げたカバー板ＣＬを被せた状態で、小ネジ９や釘等で固定してある。
なお、伸縮代８はシングルに成っている。また、図７のようにパッキン１１を入れてもよい。
【００２３】
図６は、プライマー処理やトップコート処理した例であり、先ず（１）のような隙間２はもちろん、隙間２の周囲の地表に露出したプライマー処理領域Ｐも、奇麗な状態にする。
高圧水洗浄の際の水分を充分に乾燥させた後、（２）のように、プライマー樹脂３を１０〜２０ｃｍと広い領域に渡って帯状に塗布する。
プライマー樹脂が充分に乾燥してから、その上にウレタン性の防水樹脂４を塗布する。ウレタン樹脂４が充分に乾燥したら、防水性のある樹脂を０.3Ｋｇ／ｍ2 程度塗布してトップコート仕上げ５を施す。
【００２４】
防水樹脂４を塗布した領域は、１０〜２０ｃｍと広い帯状の領域に渡って膜厚分だけ盛り上がった形状になるが、この拡張樹脂部４のトップコート５の上にカバー板Ｃを被せて、小ネジ９や釘等で固定する。
両端縁１０・１０は、バリヤフリーを実現すべく斜めに折り曲げて、傾斜させてある。
このように、プライマー処理やトップコート処理した場合も、図５（２）のように、拡張樹脂部４の部分を埋め込んだり、さらにカバー板Ｃも全部埋め込んだりできることは言うまでもない。
施工後のカバー板Ｃの上が滑り易い場合は、滑り難いように塗装を工夫したり、表面仕上げを工夫したりする。
【００２５】
図７の実施形態は、図６において、さらにパッキン１１を介在させた例である。このように、円弧状の伸縮代８の内面の凹部を利用して、空洞になったホース状の又は中空の穴の開いていない、細長い紐状のパッキン１１を設けると、伸縮代８が突出しているために踏まれたりして外力を受けても、弾力で反発できるので、効果的に緩衝される。
弾性体のテープにアルミニウム箔を貼った弾性テープＴを、カバー板Ｃの裏面全体に介在させると、カバー板Ｃの全面が緩衝されるので、人が転んだりして安全であり、またカバー板Ｃも傷つき難い。
拡張樹脂部４の肉厚分だけ、さらにカバー板Ｃの領域まで埋め込んだ構造も可能である。
【００２６】
図８は電柱の根元に装着するカバー板の例を示す図であり、（１）は正面図、（２）は平面図、（３）は市販の締め付けリングであり、図９は電柱の根元に装着した例を示す正面図である。
図示例は、使用中の立っている電柱Ｅの側方から装着する構造であり、電柱Ｅの片側半分をカバーできる半円状の側壁１２ａともう一方の半分をカバーできる半円状の側壁１２ｂとを有し、その両端は、木材の相欠き継ぎ構造と同様な接続構造１３となっている。
１４ａ、１４ｂは鍔状のカバー板であり、それぞれ半円状をしている。内径は電柱Ｅの外径より僅かに大きく、外径は、樹脂部をカバーできる寸法とする。半円状カバー板１４ａ、１４ｂの両端は、相欠き継ぎ構造１５になっている。
【００２７】
この半円状カバー板１４ａ、１４ｂを樹脂部の上に被せた状態で、図９のように電柱Ｅを挟むように装着し、かつネジや釘９を打ち込んで要所を止める。さらに、電柱Ｅの根元をカバーするように１対の側壁１２ａ、１２ｂを取付けた状態で、締め付けリング１６を装着して、電柱Ｅに締め付ける。
鍔状カバー板１４ａ、１４ｂと側壁１２ａ、１２ｂは別体になっているが、溶接やロウ着けで一体構造にすることも可能である。一体に成型してもよい。
電柱Ｅを立てる際にカバー板も同時に装着可能な場合は、２分割構造にしないで、最初からリング状に一体化し、その中に電柱Ｅを挿通することも可能である。電柱を例に説明したが、ガードレールの支柱も同じ要領で施工できる。
なお、本発明は、道路に限らず、法面や屋上、各種コンクリート構造物など、窪みに土埃や雑草の種子が集積して雑草が生える場所であれば、すべてに適用できる。
【産業上の利用可能性】
【００２８】
以上のように、雑草抑止の目的で樹脂を詰めたり樹脂で覆って成る部分を、前記樹脂より耐候性の良い材質の板で樹脂部をカバーすることにより、確実かつ長期間に渡って雑草を防止でき、景観が改善され、観光地に最適である。
【符号の説明】
【００２９】
１  雑草
２  隙間
４  拡張樹脂部
７  縁石
Ｃ  カバー板
８  伸縮代
９  小ネジや釘
ＣＬ  Ｌ状に曲げたカバー板
１１  パッキン
Ｔ  弾性テープ
Ｅ  電柱
１２ａ、１２ｂ  半円状の側壁
１３、１５  相欠き継ぎ構造
１４ａ、１４ｂ  鍔状のカバー板
１６  締め付けリング